(57)【要約】【課題】装置自体のコストが安く、また、解体時の煙突の揺れが少なく安全で、しかも、効率良く作業が進めることができて工期を短縮する。【解決手段】解体しようとする構造物である煙突Ｂが中心に来るように、複数のスチールボール２をワイヤー３を介して吊り下げ、それら複数のスチールボールに外方へ拘束力を加えてスチールボールを開いた状態とし（イ）、それら複数のスチールボール２を拘束力を解除し自重により内下方へ移動させて、これにより、煙突Ｂの外周面Ｂａの同じ高さ位置を同時に打撃する。以上の複数のスチールボール２を煙突Ｂの外周面Ｂａの高さ位置を打撃する工程を、煙突Ｂの上方から下方へ至るよう順に高さを変えながら繰り返し行う。【選択図】　　図１
2004036179.tif 000002
【特許請求の範囲】
【請求項１】
解体しようとする構造物が中心に来るように、複数のスチールボールをワイヤーを介して吊り下げ、それら複数のスチールボールに外方へ拘束力を加えて該スチールボールを開いた状態とし、該複数のスチールボールを拘束力を解除し自重により内下方へ移動させて前記構造物の外周面の同じ高さ位置を同時に打撃することを特徴とする構造物の解体方法。
【請求項２】
請求項１記載の構造物の解体方法において、
前記複数のスチールボールを前記構造物の外周面の高さ位置を打撃する工程を、前記構造物の上方から下方へ順に高さを変えながら繰り返し行うことを特徴とする構造物の解体方法。
【請求項３】
解体しようとする構造物の外方に配置される支持フレームと、
該支持フレームに水平方向旋回可能に設けられる水平ビームと、
該水平ビームを旋回させる旋回手段と、
前記水平ビームにワイヤーを介して吊り支持された複数のスチールボールと、
該スチールボールを、外方へ拘束力を加えて開いた状態としかつその拘束力を解除してスチールボールを自重により内下方へ移動させるスチールボール外方拘束手段とを備えてなることを特徴とする構造物の解体装置。
【請求項４】
請求項３記載の構造物の解体装置において、
前記スチールボール外方拘束手段は、前記スチールボールに一端が固着されて該スチールボールを外方へ引き上げる引上用ワイヤーと、前記水平ビームに支持されて引上用ワイヤーの他端側を巻込むウインチとから構成されることを特徴とする構造物の解体装置。
【発明の詳細な説明】
【０００１】
【発明の属する技術分野】
本発明はＲＣ構造の煙突等、比較的高い構造物を解体するのに用いて好適な構造物の方法および解体装置に関する。
【０００２】
【従来の技術】
例えば、高さが５０ｍ以上の比較的高いＲＣ構造の煙突を解体する場合、従来、以下の方法が採用されていた。
すなわち、
▲１▼煙突に昇降するための足場を取り付け、これを利用しながらピックハンマー等で打撃し、煙突を上部から解体する方法、
▲２▼昇降ステージ上に油圧圧砕機を搭載し、これを作動させながら解体する方法、
▲３▼タワークレーンに圧砕機の部分を取り付けて破壊する方法、
等が採用されていた。
【０００３】
【発明が解決しようとする課題】
前述した従来の構造物の解体方法にあっては、以下の問題があった。
▲１▼の煙突に取り付けた足場を利用しピックハンマーで打撃しながら解体する方法では、効率が悪く全て解体するまでに長時間要する。また▲２▼の油圧圧砕機により解体する方法では、油圧圧砕機から反力を受けるので、この反力にたえうるよう昇降ステージの剛性を高めなければならず、結果的に装置が大掛かりとなりコスト高になる。さらに、▲３▼のタワークレーンに圧砕機の部分を取り付けて破壊する方法では、圧搾機等の反力で煙突自体の揺れが大きくなり、危険を伴うという問題があった。
【０００４】
前記事情に鑑み、本発明においては、装置自体のコストが安く、また、解体時の煙突の揺れが少なく安全性が確保でき、しかも、作業効率がよく工期を短縮できる構造物の解体方法および解体装置を提供することを課題としている。
【０００５】
【課題を解決するための手段】
前記課題を解決するために本発明においては、以下の手段を採用した。
すなわち、請求項１記載の構造物の解体方法は、図１に示すように、解体しようとする構造物、例えばＲＣ構造の煙突Ｂが中心に来るように、複数（図１では２個）のスチールボール２をワイヤー３を介して吊り下げ、それら複数のスチールボール２に外方へ拘束力を加えて該スチールボール２を開いた状態とし（図１中（イ）の状態）、該複数のスチールボール２を拘束力を解除し自重により内下方へ移動させて（図１中（ロ）、（ハ）の状態）、煙突Ｂの外周面Ｂａの同じ高さ位置を同時に打撃することを特徴としている。
なお、図１において煙突Ｂの実線で示す小径部分は煙突の上部、２点鎖線で示す大径部分は煙突の下部をそれぞれ表している。
【０００６】
また、請求項２記載の構造物の解体方法は、請求項１記載の方法において、前記複数のスチールボールを前記構造物の外周面の高さ位置を打撃する工程を、前記構造物の上方から下方へ順に高さを変えながら繰り返し行うことを特徴としている。
【０００７】
また、請求項３記載の構造物の解体構造は、解体しようとする構造物の外方に配置される支持フレームと、該支持フレームに水平方向旋回可能に設けられる水平ビームと、該水平ビームを旋回させる旋回手段と、前記水平ビームにワイヤーを介して吊り支持された複数のスチールボールと、該スチールボールを、外方へ拘束力を加えて開いた状態としかつその拘束力を解除してスチールボールを自重により内下方へ移動させるスチールボール外方拘束手段とを備えてなることを特徴としている。
【０００８】
また、請求項４記載の構造物の解体構造は、請求項３記載のものにおいて、前記スチールボール外方拘束手段が、前記スチールボールに一端が固着されて該スチールボールを外方へ引き上げる引上用ワイヤーと、前記水平ビームに支持されて引上用ワイヤーの他端側を巻込むウインチとから構成されることを特徴としている。
【０００９】
本発明によれば、ワイヤー３を介して吊り下げた複数のスチールボール２を開いた状態にし、この状態で外方への拘束力を解除すると、スチールボール２は自重により内下方へ移動する。そして、それらスチールボール２は、それらの中心に位置する、解体しようとする構造物である煙突Ｂの外周面Ｂａの同じ高さ位置を同時に打撃する。このときの衝撃力によって、煙突Ｂを解体する。
このように煙突Ｂ等の構造物の外周面を、その周りにある複数のスチールボール２によって同時に打撃するので、それらスチールボール２の打撃による構造物に作用するモーメントが互いにうち消され、結果的に、構造物に揺れが発生したり、振動が発生することはなく、構造物を安全に解体できる。
【００１０】
【発明の実施の形態】
以下、本発明の実施の形態を図面に基づいて説明する。
図２は本発明に係る構造物の解体装置を示す側面図である。図２中符号２０はタワークレーンを示し、このタワークレーン２０のブーム２１の先端からはワイヤー２２が延びており、ワイヤー２２の先端には本発明に係る構造物の解体装置Ａが吊り下げられている。また、この図２では、構造物の解体装置Ａによって解体する構造物の例としてＲＣ構造の煙突Ｂの場合を挙げている。煙突Ｂは下端から上端に向けて漸次径が細くなる円筒状に形成されている。
【００１１】
前記構造物の解体装置Ａについて説明すると、図３において符号５は解体対象構造物である煙突Ｂの外方に配置される鋼製の支持フレームである。支持フレーム５は上面視四角形に形成され、それぞれの頂点からは脚部５ａが下方に延びている。支持フレーム５の上部にはリング状のビーム受け６が取り付けられ、このビーム受け６によって水平ビーム７が水平方向へ旋回可能に支持されている。ビーム受け６と水平ビーム７との間には、水平ビーム７を旋回させる旋回手段８が介装されている。
【００１２】
旋回手段８は、例えば、ビーム受け６の内周に設けられた内歯車８ａと、この内歯車８ａに噛合する図示せぬ歯車が先端に取り付けられたモータ８ｂとからなっている。そして、モータ８ｂは水平ビーム７に一体的に支持されており、このモータ８ｂが回転駆動されることによって、水平ビーム７が任意角度旋回されるようになっている。なお、この図では、旋回手段８として歯車同士を組み合わせたものを例に挙げて説明しているが、これに代わり、チェーンと歯車とを組み合わせたものであってもよい。
【００１３】
水平ビーム７の中央部には２本のワイヤー３が適宜間隔をあけて取り付けられ、これらワイヤー３によってそれぞれ左右のスチールボール２が同じ高さ位置になるように吊り支持されている。また、左右のスチールボール２にはそれぞれスチールボール外方拘束手段９が併設されている。そして、このスチールボール外方拘束手段９によって、左右のスチールボール２が、外方へ拘束力を加えられて開かれた状態とされ、かつ、この拘束力が解除されたとき、自重により内下方へ移動されるようになっている。
【００１４】
スチールボール外方拘束手段９は、図３，図４に示すように、スチールボール２に一端が固着されてスチールボール２を外方へ引き上げる引上用ワイヤー９ａと、引上用ワイヤー９ａの他端側を巻込むよう水平ビーム７上に設けられたウインチ９ｂと、水平ビーム７の先端部に設けられて引上用ワイヤー９ａの中間部を案内するシーブ９ｃとから構成されている。また、前記前記スチールボール外方拘束手段９を構成する左右のウインチ９ｂは、それぞれ同期して駆動されるようになっている。
また、煙突Ｂの外周部であって、構造物の解体装置Ａの直下部分には盛り替え可能な作業足場Ｃが取り付けられている（図２参照）。
【００１５】
次に、上記構成の構造物の解体装置Ａを用いて煙突Ｂを解体する方法について説明する。
まず、作業用足場Ｃを、これから解体しようとする構造物である煙突Ｂの上部所定位置に取り付ける。また、本発明に係る構造物の解体装置Ａを、タワークレーン２０を用いワイヤー２２により吊り下げた状態で、煙突Ｂと同心状となるようにかつ前記作業用足場Ｃの上方所定位置に配置する。ここで、必要に応じて支持フレーム５の脚部５ａを作業用足場上に固定する。
【００１６】
この状態で左右のスチールボール２をスチールボール外方拘束手段９により、外方へ開いた状態とする（図１中（イ）参照）。
すなわち、左右のウインチ９ｂを同期させて駆動し、スチールボール２に取り付けた引上用ワイヤー９ａの他端側を巻き上げて、スチールボール２を外方へ移動させながら上方へ吊り上げる。
そして、ウインチ９ｂによるワイヤー９ｂの吊り支持を解放する。すると、スチールボール２は、ワイヤー３によって吊り下げられているから、自重により落下しながら内方へ移動する。つまり内下方へ移動する。そして、煙突Ｂの外周面Ｂａの同じ高さ位置を左右から同時に打撃する。
【００１７】
上記煙突Ｂの外周面Ｂａの所定高さ位置の左右からの同時打撃を、水平ビーム７を旋回させなが繰り返し行うことにより、煙突Ｂの所定高さの外周面の全域にわたって所定角度置きに打撃し、これにより煙突Ｂの所定高さ部分を解体する。
次に、煙突Ｂの解体した高さ分だけ作業足場Ｃを下げるとともに、構造物の解体装置Ａも同じ高さ分だけ煙突Ｂに沿って下げる。そして、前述した作業を繰り返すことで、煙突Ｂの解体した部分の下側部分を解体する。
以下、上記操作を繰り返し行うことにより、煙突Ｂの上端から下端に至る全高さ位置にわたって解体する。
【００１８】
上述した構造物の解体方法にあっては、解体しようとする構造物である煙突Ｂの外周面Ｂａを、その周りにある２個のスチールボール２によって左右から同時に打撃するので、それらスチールボール２の打撃による煙突Ｂに作用するモーメントが互いにうち消され、結果的に、煙突Ｂに揺れが発生したり、振動が発生することはなく、煙突Ｂを安全に解体することができる。
また、スチールボール２の打撃により煙突Ｂを解体していくので、例えば、従来のピックハンマーで打撃しながら解体する方法に比べ、効率が数段優れ、短い工期で煙突Ｂを解体できる。
また、装置自体は、支持フレーム５、リング受け６、水平ビーム７並びに水平ビーム７によって吊り支持されるスチールボール２等からなるごく簡単な構成であるので、低コストで容易に製作できる。
【００１９】
以上において本発明の一実施の形態を説明したが、本発明は、前記実施の形態に限定されるものでなく、その趣旨を逸脱しない範囲内で他の構成を採用することができる。
例えば、前記実施の形態においては、構造物の解体装置Ａを支持するのに、ワークレーン２０を用いて吊り支持しているが、これに限られることなく、移動式クレーンを用いて吊り支持してもよく、また、構造物の解体装置Ａを作業足場Ｃに固定し、作業足場Ｃによって支持してもよい。
また、ワイヤー巻上げのウインチ９ｂを駆動するのに電源を利用する場合、支持フレーム５や水平ビーム７に予め小型発電機を組み付け、この小型発電機を利用してもよく、また、商用電源を電線コードでウインチまで導いて利用しても良い。
また、上記した実施の形態では、スチールボール２を２個用いているが、これに限られることなく、スチールボール２を３個以上用いても良い。
さらに、スチールボール２を外方へ拘束力を加えて開いた状態とするスチールボール外方拘束手段９としては、ワイヤー９ａを介してウインチ９ｂによって巻き上げる方法の他、油圧シリンダあるいは空気シリンダによってワイヤーを介してスチールボール２に外方への力を加えるような構成のものもよい。
【００２０】
【発明の効果】
以上説明したように、本発明によれば以下の効果を奏する。
構造物の外周面を、その周りにある複数のスチールボールによって同時に打撃するので、それらスチールボールの打撃による構造物に作用するモーメントが互いにうち消され、結果的に、構造物に揺れが発生したり、振動が発生することはなく、構造物を安全に解体することができる。
また、前述したとおりスチールボールの打撃により構造物を解体していくので、例えば、従来のピックハンマーで打撃しながら解体する方法に比べ、効率が数段優れ、短い工期で構造物を解体でき、また、装置自体が支持フレーム、水平ビーム、スチールボール等からなる簡単な構成であるので、低コストで容易に製作できる。
【図面の簡単な説明】
【図１】本発明の要部を説明する側面図である。
【図２】本発明の一実施の形態を示し、構造物の解体装置によって煙突を解体する状況を示す側面図である。
【図３】本発明の一実施の形態を示す構造物の解体装置の側面図である。
【図４】本発明の一実施の形態を示す構造物の解体装置の平面図である。
【符号の説明】
Ａ　構造物の解体装置
Ｂ　煙突（解体しようとする構造物）
Ｃ　作業足場
２　スチールボール
３　ワイヤー
５　支持フレーム
６　ビーム受け
７　水平ビーム
８　旋回手段
９　スチールボール外方拘束手段
９ａ　引上用ワイヤー上面端部
９ｂ　ウインチ
９ｃ　シーブ
【図１】
2004036179.tif 000003
【図２】
2004036179.tif 000004
【図３】
2004036179.tif 000005
【図４】
2004036179.tif 000006